(57)【要約】  本発明は、台所用装置１００であって、該装置を手動で保持するための、把持領域１１２を定義する、把持部１２０と、装置１００に装着され、面１５０に対する吸着によって面１５０に装置１００を固定するよう構成された、第１の吸着脚１３０と、第１の吸着脚１３０に接続され、把持領域１１２に延在するアクチュエータ１１０であって、アクチュエータ１１０に作用する作動力１１１を、第１の吸着脚１３０に作用する引き離し力１３１に伝達し、第１の吸着脚１３０を面１５０から引き離すよう構成された、アクチュエータ１１０と、を有する装置に関する。該装置は、該装置を保持することと該装置を面から離すこととが効果的にユーザによる単一の直観的な手動の動作となるため、改善された使用の容易さで面から取り外されることを可能とする。
2016538904.tif 000002
【特許請求の範囲】
【請求項１】
台所用装置であって、
前記装置を手動で保持するための、把持領域を定義する、把持部と、
前記装置に装着され、面に対する吸着によって前記面に前記装置を固定するよう構成された、第１の吸着脚と、
前記第１の吸着脚に接続され、前記把持領域に延在するアクチュエータであって、前記アクチュエータに作用する作動力を、前記第１の吸着脚に作用する引き離し力に伝達し、前記第１の吸着脚を前記面から離すよう構成された、アクチュエータと、
を有する装置。
【請求項２】
前記第１の吸着脚は、略水平な面である面に前記装置を固定するため、前記装置の底部に装着された、請求項１に記載の装置。
【請求項３】
前記第１の吸着脚は、略垂直な面である面に前記装置を固定するため、前記装置の側面に装着された、請求項１に記載の装置。
【請求項４】
前記アクチュエータと前記第１の吸着脚とは、同一材料の単一の部品でできている、請求項１に記載の装置。
【請求項５】
前記アクチュエータは長細の形状を持つ、請求項１に記載の装置。
【請求項６】
前記長細の形状は、前記長細の形状に垂直な方向において平坦なストリップ状の形状である、請求項５に記載の装置。
【請求項７】
前記装置に装着され、面に対する吸着によって前記面に前記装置を固定するよう構成された、第２の吸着脚を更に有し、前記アクチュエータは、前記作動力を、前記第２の吸着脚に作用する第２の離し力に伝達し、前記第２の吸着脚を前記面から離すよう構成された、請求項１に記載の装置。
【請求項８】
前記アクチュエータと前記第１の吸着脚と前記第２の吸着脚とは、同一材料の単一の部品でできている、請求項７に記載の装置。
【請求項９】
前記第１の吸着脚、前記第２の吸着脚及び前記アクチュエータのうちの少なくとも１つは、少なくとも部分的に柔軟なゴム状材料でできている、請求項１又は７に記載の装置。
【請求項１０】
前記アクチュエータは、前記作動力を前記アクチュエータに手動で多くの回数かけることにより引き起こされる摩損に抗するため耐久性材料により補強された、請求項１又は７に記載の装置。
【請求項１１】
前記把持部は、前記装置を担持するためのハンドルを形成する、請求項１又は７に記載の装置。
【請求項１２】
前記アクチュエータの第１の端部が前記第１の吸着脚の周縁部に接続され、前記アクチュエータの第２の端部が前記把持領域に接続された、請求項１乃至１１のいずれか一項に記載の装置。
【請求項１３】
前記アクチュエータの第１の端部が前記第１の吸着脚の周縁部に接続され、前記アクチュエータの第２の端部が前記第２の吸着脚の周縁部に接続された、請求項７に記載の装置。
【請求項１４】
前記アクチュエータの中央部が、前記把持領域の中央部に接続された、請求項１３に記載の装置。
【請求項１５】
台所用装置の少なくとも１つの吸着脚を面から離す方法であって、前記装置は、前記装置を手動で保持するための、把持領域を定義する、把持部を有し、前記方法は、
アクチュエータを第１の吸着脚に接続するステップと、
前記アクチュエータを前記把持領域に延在させるステップと、
前記アクチュエータに作用する手動の力を生成し、前記第１の吸着脚を前記面から離すステップと、
を有する方法。
【発明の詳細な説明】
【技術分野】
【０００１】
本発明は、台所用装置に関し、特に装置を面に固定するための該装置に装着された吸着脚を持つ台所用装置に関する。
【背景技術】
【０００２】
台所用機器を平坦な面上に安定化させるための既知の方法は、該機器の下に配置された複数の吸引脚（吸着カップとも呼ばれる）を用い、該機器がキッチンテーブルのような平坦な面の上に置かれたときに、該吸着脚の吸着効果が、当該面上における該機器のいずれの動きをも防止（又は少なくとも制限）するようにすることである。斯かるタイプの方法は例えば、野菜の皮剥き装置とあわせた吸着カップの使用を示した米国特許US5950529A1に示されている。しかしながら、台所用機器を平坦な面上に安定化させるための斯かる既知の方法は、例えばユーザが該機器の利用を終えて保管領域に移動させたいと思ったときのように、該機器を動かしたいとユーザが思った場合に、単に吸着脚が依然として該機器が動かされることを防ぐという理由のため、該機器を該面から離すことが難しいという大きな欠点を持つ。斯くして、ユーザにとっての唯一の方法は、吸引脚を緩めるため強く該機器を引っ張ることである。しかしながら、この方法は不便であり、吸着脚又は該機器を損傷させ得るものであり、ユーザにも幾分かの危険をもたらし得る。
【発明の概要】
【発明が解決しようとする課題】
【０００３】
本発明の目的は、吸着脚が容易に離せるように構成された吸着脚を有する台所用装置を提供することにある。本目的は独立請求項の発明により解決され、更なる実施例は従属請求項に含まれる。
【課題を解決するための手段】
【０００４】
この目的のため、台所用装置であって、
前記装置を手動で保持するための、把持領域を定義する、把持部と、
前記装置に装着され、面に対する吸着によって前記面に前記装置を固定するよう構成された、第１の吸着脚と、
前記第１の吸着脚に接続され、前記把持領域に延在するアクチュエータであって、前記アクチュエータに作用する作動力を、前記第１の吸着脚に作用する離し力に伝達し、前記第１の吸着脚を前記面から離すよう構成された、アクチュエータと、
を有する装置が提案される。
【０００５】
該装置を保持するときにユーザにより生成される作動力は、アクチュエータを介して該吸着脚における引き離し力へと有利に伝達される。この構成により、ユーザは容易に、該装置を該面から引き上げることができる。換言すれば、装置を保持することと該装置を面から離すこととが効果的にユーザによる単一の直観的な手動の動作となるため、本発明は、吸着脚を備えた装置が、改善された使用の容易さで面から取り外されることを可能とする。
【０００６】
好適な実施例においては、前記第１の吸着脚は、略水平な面である面に前記装置を固定するため、前記装置の底部に装着される。
【０００７】
このことは、底部の下に少なくとも１つの吸着脚を持つ装置の容易な引き離しを可能とする。
【０００８】
好適な実施例においては、前記第１の吸着脚は、略垂直な面である面に前記装置を固定するため、前記装置の側面に装着される。
【０００９】
このことは、横側に少なくとも１つの吸着脚を持つ装置の容易な引き離しを可能とする。
【００１０】
好適な実施例においては、前記アクチュエータと前記第１の吸着脚とは、同一材料の単一の部品でできている。
【００１１】
このことは、当該アセンブリの容易な製造を可能とする。
【００１２】
好適な実施例においては、前記アクチュエータは長細の形状を持つ。
【００１３】
このことは、ユーザが容易に該アクチュエータを保持し、該アクチュエータに作動力をかけることを可能とする。
【００１４】
好適な実施例においては、前記長細の形状は、前記長細の形状に垂直な方向において平坦なストリップ状の形状である。
【００１５】
このことは、ユーザが容易に該アクチュエータを保持し、該アクチュエータに作動力をかけることを可能とする。
【００１６】
好適な実施例においては、前記装置は、前記装置に装着され、面に対する吸着によって前記面に前記装置を固定するよう構成された、第２の吸着脚を有し、前記アクチュエータは、前記作動力を、前記第２の吸着脚に作用する第２の離し力に伝達し、前記第２の吸着脚を前記面から離すよう構成される。
【００１７】
このことは、２つの吸着脚を持つ装置の面からの容易な引き離しを可能とする。
【００１８】
好適な実施例においては、前記アクチュエータと前記第１の吸着脚と前記第２の吸着脚とは、同一材料の単一の部品でできている。
【００１９】
このことは、当該アセンブリの容易な製造を可能とする。
【００２０】
好適な実施例においては、前記第１の吸着脚、前記第２の吸着脚及び前記アクチュエータのうちの少なくとも１つは、少なくとも部分的に柔軟なゴム状材料でできている。
【００２１】
柔軟なゴム状材料でつくられた吸着脚は、該吸着脚が離し力により僅かに変形させられたときに、該吸着脚の排気された領域に空気が容易に入ることを可能とし、柔軟なゴム状材料でつくられたアクチュエータは、該アクチュエータをユーザの手にしっかりと滑らない態様で接触させることを可能とする。
【００２２】
好適な実施例においては、前記アクチュエータは、前記作動力を前記アクチュエータに手動で多くの回数かけることにより引き起こされる摩損に抗するため耐久性材料により補強される。
【００２３】
このことは、該アクチュエータの変形又は破損なく、該アクチュエータの長期間の使用を可能とする。
【００２４】
好適な実施例においては、前記アクチュエータの第１の端部が前記第１の吸着脚の周縁部に接続され、前記アクチュエータの第２の端部が前記把持領域に接続される。
【００２５】
このことは、前記把持部における前記アクチュエータのコンパクトな実装を実現し、小型の装置のために有利である。
【００２６】
好適な実施例においては、前記アクチュエータの第１の端部が前記第１の吸着脚の周縁部に接続され、前記アクチュエータの第２の端部が前記第２の吸着脚の周縁部に接続される。
【００２７】
このことは、２つの離し力が、これら吸着脚に同時にかけられることを可能とする。
【００２８】
好適な実施例においては、前記アクチュエータの中央部は、前記把持領域の中央部に接続される。
【００２９】
このことは、２つの別個の離し力をこれら吸着脚にかけることにより、吸着脚の容易な引き離しを可能とする。アクチュエータを把持領域に装着することは、把持部におけるアクチュエータの緩んだ動きを防止するため、アクチュエータの把持部へのより安定的な一体化をもたらす。更に、斯かる構成はより耐久性が高く、アクチュエータの中央部における継続的な応力を回避する。
【００３０】
本発明はまた、台所用装置の少なくとも１つの吸着脚を面から離す方法であって、前記装置は、前記装置を手動で保持するための、把持領域を定義する、把持部を有する、方法に関する。該方法は、
アクチュエータを第１の吸着脚に接続するステップと、
前記アクチュエータを前記把持領域に延在させるステップと、
前記アクチュエータに作用する手動の力を生成し、前記第１の吸着脚を前記面から離すステップと、
を有する。
【００３１】
本発明のこれらの及び他の態様は、以下に説明される実施例を参照しながら説明され明らかとなるであろう。
【図面の簡単な説明】
【００３２】
【図１】本発明による台所用装置を示す。
【図２（ａ）】本発明による他の台所用装置を示す。
【図２（ｂ）】本発明による他の台所用装置を示す。
【図３】本発明による他の台所用装置を示す。
【図４（ａ）】本発明による他の台所用装置の使用の態様を示す。
【図４（ｂ）】本発明による他の台所用装置の使用の態様を示す。
【図５（ａ）】本発明による吸着脚とアクチュエータとの間の接続を示す。
【図５（ｂ）】本発明による吸着脚とアクチュエータとの間の接続を示す。
【図５（ｃ）】本発明による吸着脚とアクチュエータとの間の接続を示す。
【図６（ａ）】本発明による他の台所用装置を示す。
【図６（ｂ）】本発明による他の台所用装置を示す。
【図７】本発明による台所用装置の少なくとも１つの吸着脚を離す方法のフロー図を示す。
【発明を実施するための形態】
【００３３】
異なる図面における同一の参照番号を持つアイテムは、同一の構造的特徴及び同一の機能を持つことは、留意されるべきである。詳細な説明において、斯かるアイテムの機能及び／又は構造が既に説明されている場合には、繰り返しの説明の必要はない。
【００３４】
図１は、本発明による台所用装置１００を示す。該台所用装置は、該装置を手動で保持するための把持部１２０を有する。該把持部は、把持領域１１２を定義する。装置１００はまた、装置１００に装着され、面１５０に対する吸着によって面１５０に装置１００を固定するよう構成された、第１の吸着脚１３０を有する。装置１００はまた、第１の吸着脚１３０に接続され、把持領域１１２に延在する、アクチュエータ１１０を有する。アクチュエータ１１０は、アクチュエータ１１０に作用する作動力１１１を、第１の吸着脚１３０に作用する離し力１３１に伝達し、第１の吸着脚１３０を面１５０から離す。
【００３５】
装置１００は、いずれも装置１００に装着された吸着脚１３０及び支持脚１４０を介して、面１５０上に静置されるよう意図される。装置１００は、面１５０に対する吸着脚１３０の吸着により面１５０に固定され、これにより装置１００は、例えば食品の材料を用意しているとき又は食品を調理しているときに、面１５０上で容易に動かない又は動かされないようにされる。
【００３６】
把持部１２０は好適には、ユーザの手１９０が装置１００を保持し、装置１００を動かす又は持ち上げることを可能とする、空洞を形成している。
【００３７】
アクチュエータ１１０の第１の端部は、例えば図示された接続点１３２において、第１の吸着脚１３０の周縁部に接続され、アクチュエータ１１０の第２の端部は、例えば図示された接続点１１５０において、把持領域１１２に接続される。
【００３８】
アクチュエータ１１０は把持部１２０に延在し、それにより、ユーザが把持部１２０によって装置１００を手動で保持したときに、ユーザは同時に指を把持領域１１２においてアクチュエータ１１０のまわりで丸め、アクチュエータ１１０に対して押し力１１１をかける。アクチュエータ１１０は吸着脚１３０の周縁部に構造的に接続されているため、押し力１１１は、吸着脚１３０の周縁部に作用する引き力１３１へと伝達される。引き力１３１は、吸着脚１３０から離れる方向に向き、これにより空気が吸着脚１３０の下に入ることを可能とされ、面１５０に対する吸着脚１３０の吸着力が低減させられる。斯くして、把持部１２０により装置１００を手動で保持することによって、吸着脚１３０の引き離しが同時に開始される。
【００３９】
「同時に」なる語は、アクチュエータ１１０を押すことが、把持部１２０によるユーザによる手動の装置１００の保持の、直接的な、しかし暗黙的な結果として生じることを意味している。台所用装置の構造を考慮すると、ユーザは必ずしもアクチュエータ１１０を意識的に押すのではなく、アクチュエータ１１０を押すことは、把持部１２０によるユーザによる手動の装置１００の保持によって引き起こされる。それ故、ユーザが装置１００を別の場所に動かしたいときには、ユーザは吸着脚を離すための別途の手動の動作を実行する必要はなく、吸着脚１３０の引き離しを始めることは、装置１００を手動で保持することの暗黙的な一部となる。従って、装置１００を持ち上げると、ユーザはすぐに面１５０に対する吸着脚１３０の低減された吸着力の恩恵を受けることとなり、装置１００の持ち上げを容易化する。
【００４０】
押し力１１１は、アクチュエータ１１０に対して作用する作動力を表し、引き力１３１は、吸着脚１３０に作用してそれにより吸着脚１３０の引き離しを始動させる離し力として作用することに、留意されたい。
【００４１】
引き力１３１は、吸着脚１３０から離れる方向において、及び好適には面１５０から離れる方向においても、吸着脚１３０に作用する。吸着脚１３０の周縁部において吸着脚１３０を引き上げることは、空気が吸着脚１３０の下を通過することを可能とし、吸着力を低減させる。斯くして、吸着脚１３０の引き離しが開始させられる。
【００４２】
吸着脚１３０を離すためには、引き力１３１は、必ずしも面から離れる上向きである必要はない。面１５０に平行な方向に吸着脚１３０から離れるように引き力１３１を向けることによって吸着脚１３０を離すことで十分となり得る。吸着脚１３０は柔軟な材料でできているため、該平行な方向における引き力１３１は、吸着脚１３０を変形させ、吸着脚１３０の周縁部において開口を生成して空気を吸着脚１３０の下を通過させるのに十分となり得る。例えば、吸着脚１３０はゴム状の材料でできたものであっても良い。
【００４３】
例えば、該台所用装置はミキサーであっても良く、食品混合の間にもたらされる振動の結果として該ミキサーがキッチンテーブルの上を動くこと（床に落ちたり又は倒れたりすることに帰着し得る）を防ぐため、ユーザがテーブルに固定したいようなものであっても良い。又は、かなりの高さ方向の寸法を持つミキサーの場合には、該ミキサーは斯かる振動のために転倒し得る。台所用機器の底部に装着された吸着脚は、斯かる状況において該台所用機器をキッチンテーブル上で適所に固定するために有用な手段である。台所用機器の固定は、吸着脚１３０の吸着作用によって、該台所用機器をキッチンテーブルに押し下げることの直接的な結果として起こる。
【００４４】
より一般的には、装置１００は、ユーザによって保持され動かされることができ、吸着脚１３０を介して装置１００を固定するのに適した例えばキッチンテーブルのようないずれの平坦な面１５０にも固定されることができる、いずれの可搬型台所用機器であっても良い。どこかの時点で、例えばユーザが食品の材料を用意し終わったため、又は、ユーザが他の装置又は他の動作のためにキッチンテーブル上にスペースが必要となったために、台所用機械の位置を変えたいと欲するかもしれないし、又は、ユーザが該機械を戸棚にしまいたいと欲するかもしれない。このときユーザは、キッチンテーブルから該台所用機械を取り外す（離す）いずれの特別な動作を実行する必要もなしに、把持部１２０によって該台所用機械を保持し、単に持ち上げる。ユーザによるこの持ち上げる動作が、吸着脚１３０の吸着を引き離すことに帰着する。該装置は斯くして、ユーザが該台所用機械を単に置くことによって容易に該台所用機械を固定することを可能とするのみならず、該台所用機械を持ち上げることによって容易に該台所用機械を取り外すことをも可能とする機構を持つ。
【００４５】
好適には、アクチュエータ１１０は長細の形状を持ち、例えば該長細の形状に垂直な方向に平坦であるストリップ形状を持つ。
【００４６】
好適には、アクチュエータ１１０は、製品寿命の間に何度も押されることによって引き起こされる繰り返しの摩損に耐えるため、耐久性材料によって補強される。斯かる補強は例えば、堅固なプラスチック、金属又は木材のような、ゴム状材料より頑強な材料からつくられる。同様に、吸着脚の上部が、誤用及び摩損から該吸着脚を保護するために補強されても良い。吸着脚１３０の補強は、プラスチック状の被覆であっても良く、好適には吸着脚１３０自体の柔軟な材料よりも頑強で硬い材料によっても良い。
【００４７】
好適には、アクチュエータ１１０及び第１の吸着脚１３０は、吸着脚に典型的な柔軟なゴム状材料でつくられる。
【００４８】
好適には、アクチュエータ１１０と第１の吸着脚１３０とは、同一材料の単一の部品でできたものである。例えば、アクチュエータ１１０と第１の吸着脚１３０とは、ゴム状材料の一体的な部品からできたものであっても良い。又は、少なくともアクチュエータ１１０の一部と第１の吸着脚１３０の一部とが同一材料の一体的な部品でできており、アクチュエータ１１０及び／又は第１の吸着脚１３０の他の部分は別の材料でできたものであっても良い。
【００４９】
図２ａは、本発明による他の台所用装置１００を示し、ここでは把持部１２０及びアクチュエータ１１０が、２つの吸着脚、即ち第１の吸着脚１３０及び第２の吸着脚２４０に接続されている。図１と比較すると、装置１００は、１つの吸着脚ではなく２つの吸着脚を持つ。アクチュエータ１１０はここでもまた把持領域１１２に延在するが、アクチュエータ１１０は把持部１２０には接続されていない。その代わり、アクチュエータ１１０の第１の端部は、例えば図示された接続点１３２において、第１の吸着脚１３０の周縁部に接続され、アクチュエータ１１０の第２の端部は、例えば図示された接続点２４２において、第２の吸着脚２４０の周縁部に接続される。アクチュエータ１１０を手動で保持することは、押し力２１１、２１２、２１３の生成を引き起こし、次いでこれら押し力が、引き力２１４及び２１５を引き起こす。各引き力２１４及び２１５は、それぞれ吸着脚１３０及び２４０を、これら吸着脚の周縁部において、面１５０から離れる方向に引く。斯くして、把持部１２０による装置１００の手動の保持によって、吸着脚１３０及び吸着脚２４０の引き離しが開始される。
【００５０】
好適には、アクチュエータ１１０、第１の吸着脚１３０及び第２の吸着脚２４０は、吸着脚に典型的な柔軟なゴム状材料でつくられる。
【００５１】
好適には、アクチュエータ１１０と第１の吸着脚１３０と第２の吸着脚２４０とは、同一材料の単一の部品でできたものである。例えば、アクチュエータ１１０と第１の吸着脚１３０と第２の吸着脚２４０とは、ゴム状材料の一体的な部品からできたものであっても良い。又は、少なくともアクチュエータ１１０の一部と第１の吸着脚１３０及び第２の吸着脚２４０の一部とが同一材料の一体的な部品でできており、アクチュエータ１１０及び／又は第１の吸着脚１３０及び第２の吸着脚２４０の他の部分は別の材料でできたものであっても良い。
【００５２】
図２ｂは、本発明による他の台所用装置１００を示し、ここでは把持部１２０及びアクチュエータ１１０が、第１の吸着脚１３０及び第２の吸着脚２４０に接続され、該アクチュエータはまた把持部１２０にも接続及び装着されている。図２ａと比較すると、アクチュエータ１１０の中央部は、例えば図示されるように中央接続点２１９において、把持領域１１２の中央部に接続される。例えば、接続点２１９は、把持領域１１２の空洞の上部に配置される。把持部１２０を手動で保持することが、把持部１２０の上部において中心とはずれた位置において押し力２１１及び２１３を生成させる。アクチュエータ１１０は把持部１２０に装着されているため、アクチュエータ１１０は中央接続点２１９において更に把持部１２０に対して押されることはできない。しかしながら、把持部１２０によりアクチュエータ１１０を手動で保持することにより、ユーザは、例えば２本の隣接する指を介して、押し力２１１及び２１３を生成し、これら押し力が次いで引き力２１４及び２１５を引き起こす。
【００５３】
図３は、本発明による他の台所用装置１００を示す。装置１００は、水平な面に固定される代わりに、例えば壁のような垂直な面１６０に固定される。アクチュエータ１１０は図２ａに示されたものと同様であるが、水平の向きではなく垂直の向きとされている。装置１００はまた、水平な支持面１５０における静置のための支持脚３４０及び３５０を含む。斯くして装置１００は、壁に固定されるよう構成される。例えば、装置１００は台所用機器であり、該壁はキッチンテーブルの上の台所の壁である。該台所用機器が重い場合、吸着脚が、キッチンテーブルの上で該台所用機器の重量を支えるよりも、該台所用機器を壁に固定するのに適したものとなり得るため、図３の構成を用いることが有利となり得る。
【００５４】
図４ａは、本発明による他の台所用装置１００を示し、該装置は、把持領域１１２のなかに延在するボタン４１１（又は押し要素）と、２つの吸着脚１３０及び２４０に接続されたアクチュエータ１１０と、を有する。ボタン４１１は好適には、把持領域１１２における空洞の少なくとも一部を占有する。ボタン４１１は、例えばボタン４４１の横側における滑動機構（図示されていない）を用いることにより、把持領域１１２のなかを垂直に滑動するよう構成される。ユーザが把持領域１１２において装置１００を手動で保持する場合、ユーザはアクチュエータ１１０に対して内側へとボタン４１１を上向きに押し、アクチュエータ１１０に対する押し力を引き起こす。
【００５５】
図４ｂは、装置１００が把持領域１１２において手動で保持されたときの、図４ａの装置１００に作用する力を示す。アクチュエータ１１０に対してボタン４１１を上向きに押すことは、押し力２１１、２１２、２１３の生成を引き起こす。その結果、引き力２１４及び２１５が生成され、それぞれ第１の吸着脚１３０及び第２の吸着脚２４０の周縁部を上向きに引き、面１５０からの吸着脚１３０及び吸着脚２４０の引き離しを始める。斯かる態様で該装置のなかにアクチュエータ１１０を配置することは、審美的観点からのみならず、アクチュエータ１１０が他の機器に絡ませられなくなるという実用的な意味においても、有利である。
【００５６】
図５ａ、５ｂ、５ｃは、例えば図１を参照しながら説明された装置に基づく、吸着脚１３０とアクチュエータ１１０との間の種々のタイプの接続を示す。
【００５７】
図５ａは、上述した実施例にも示されたような、接続点５１１において吸着脚１３０の周縁部に接続されたアクチュエータ１１０を示す。吸着脚１３０から離れる方向において吸着脚１３０の周縁部に作用する引き力１３１は、吸着脚１３０の下に空気が入ることを可能とする吸着脚１３０の下の開口を生成し、これにより面１５０に対する吸着脚１３０の吸着力を低減させ、該吸着脚の面１５０からの引き離しを開始させる。
【００５８】
図５ｂは、吸着脚１３０における接続点５２１において接続されたアクチュエータ１１０を示す。接続点５２１は、吸着脚１３０における弁開口に差し込まれた弁プラグ（図示されていない）を有する。該弁プラグに引き力１３１をかけることにより、該弁が開かれ、空気が吸着脚１３０の中／下に流れるようにされ、それにより吸着脚１３０の吸着力が低減される。該弁プラグは、該弁プラグの周縁部と弁開口との間の、例えばゴムのような柔軟な材料の接続により、弁開口に装着される。該柔軟な接続は、該弁を弁開口へと内側に引く内向きの引き力をもたらす。該弁プラグの外部に作用する引き力１３１が当該内向きの引き力を上回ると、該弁プラグは弁開口から引き出される。このとき、吸着脚の下の弁開口を介して空気が流れることが許容され、吸着力が低減される。
【００５９】
図５ｃは、吸着脚１３０における接続点５３１において接続されたアクチュエータ１１０を示す。接続点５３１は、吸着脚１３０の中心部に弁（図示されていない）を有する。図５ｃの構成は図５ｂのものと類似するが、弁開口が吸着脚１３０の上部にある点が異なる。吸着脚１３０は、例えば管状の接続部５３２によって装置１００に接続され、弁開口及び弁プラグが当該管状の接続部のなかにある。弁プラグに作用する引き力があるときには、該弁プラグは内向きの引き力（前パラグラフにおけるものと同様）により弁開口へと引かれる。引き力１３１が弁プラグに作用し、該内向きの引き力を上回ると、該弁プラグは弁開口から引き出される。このとき、吸着脚の下を介して空気が流れることが許容され、吸着力が低減される。
【００６０】
図６ａは、本発明による他の台所用装置１００を示し、ここではアクチュエータ１１０が把持部１２０に一体化させられている。把持部１２０は、担持用ハンドル６０５を形成する。他の実施例との違いは、把持部１２０が、空洞ではなく、該装置の本体の外に延在する別個のハンドルとして構成されている点である。アクチュエータ１１０はまた、図４ａと同様に、装置１００の内部を通って一部が延在しているものとして示されている。図２ａと同様に、アクチュエータ１１０は、把持部１２０の上部、即ちハンドル部６０５の内側部分の上部を辿る。ユーザが装置１００を平坦な面１５０の上に置くと、装置１００は第１の吸着脚１３０及び第２の吸着脚２４０を介して面１５０に自身を固定する。ユーザが装置１００を持ち上げるとき、該ユーザは把持１２０によって装置１００を保持し、アクチュエータ１１０に対して押し力２１１、２１２、２１３を生成し、その結果、吸着脚１３０及び２４０に作用する引き力２１４及び２１５を引き起こす。吸着脚１３０及び２４０によりもたらされる吸着力は、このとき低減させられる。これにより、当該吸着脚の引き離しが開始され、装置１００を面１５０から持ち上げることを容易にする。
【００６１】
図６ｂは、本発明による他の台所用装置１００を示し、ここではアクチュエータ１１０が把持部１２０の内部に一体化させられている。把持部１２０は、担持用ハンドル６０５を形成する。図６ｂは図６ａの変形例を示しており、ここではハンドル６０５が図４ａ及び４ｂと同様に付加的なボタン６１０を持つ。ユーザが装置１００を持ち上げるとき、該ユーザはボタン６１０を上向きに担持ハンドル６０５の中へアクチュエータ１１０に対して押し、これにより押し力２１１、２１２、２１３を生成し、その結果、例えば図５ｃにより説明された弁プラグに対応する、それぞれの弁プラグ５３１及び５３１ｂに作用する引き力２１４ｂ及び２１５ｂを生成する。斯くして吸着脚１３０及び２４０の引き離しが開始され、ユーザがスーツケース型の装置１００を床１５０から持ち上げることを容易化する。
【００６２】
本発明はまた、台所用装置の少なくとも１つの吸着脚を面から離す方法であって、前記装置は、前記装置を手動で保持するための、把持領域を定義する、把持部を有する、方法に関する。該方法は、以上に説明された本発明による装置に対応する。本方法のフロー図が、図７に示される。該方法は、
−アクチュエータを第１の吸着脚に接続するステップ（７０１）と、
−前記アクチュエータを前記把持領域に延在させるステップ（７０２）と、
−前記アクチュエータに作用する手動の力を生成し、前記第１の吸着脚を前記面から離すステップ（７０３）と、
を有する。
【００６３】
上述の実施例は本発明を限定するものではなく説明するものであって、当業者は添付する請求項の範囲から逸脱することなく多くの代替実施例を設計することが可能であろうことは留意されるべきである。
【００６４】
請求項において、括弧に挟まれたいずれの参照記号も、請求の範囲を限定するものとして解釈されるべきではない。動詞「有する（comprise）」及びその語形変化の使用は、請求項に記載されたもの以外の要素又はステップの存在を除外するものではない。要素に先行する冠詞「１つの（a又はan）」は、複数の斯かる要素の存在を除外するものではない。幾つかの手段を列記した装置請求項において、これら手段の幾つかは同一のハードウェアのアイテムによって実施化されても良い。特定の手段が相互に異なる従属請求項に列挙されているという単なる事実は、これら手段の組み合わせが有利に利用されることができないことを示すものではない。
【図１】
2016538904.tif 000003
【図２ａ】
2016538904.tif 000004
【図２ｂ】
2016538904.tif 000005
【図３】
2016538904.tif 000006
【図４ａ】
2016538904.tif 000007
【図４ｂ】
2016538904.tif 000008
【図５ａ】
2016538904.tif 000009
【図５ｂ】
2016538904.tif 000010
【図５ｃ】
2016538904.tif 000011
【図６ａ】
2016538904.tif 000012
【図６ｂ】
2016538904.tif 000013
【図７】
2016538904.tif 000014
【国際調査報告】
2016538904.tif 000015
2016538904.tif 000016